【手続補正書】
【提出日】平成22年6月23日(2010.6.23)
【手続補正１】
【補正対象書類名】特許請求の範囲
【補正対象項目名】全文
【補正方法】変更
【補正の内容】
【特許請求の範囲】
【請求項１】
１ゲームに対して所定数の賭数を設定することによりゲームを開始させることが可能となり、複数種類の識別情報を変動表示させる可変表示領域を複数有する可変表示装置に表示結果が導出されることにより１ゲームが終了し、該可変表示装置の表示結果として所定の入賞ライン上に導出表示された識別情報の組合せに応じて入賞が発生可能であるスロットマシンであって、
前記可変表示装置に表示結果が導出されるより前に遊技者にとって有利な特定遊技状態への移行を伴う特定入賞と前記特定入賞以外の一般入賞とを含む複数種類の入賞を発生する旨を許容するか否かを決定する事前決定手段と、
前記特定入賞の発生を許容する旨が決定されており、該特定入賞が発生しなかったときに該特定入賞の発生を許容する旨を次ゲーム以降に持ち越す特定持越手段と、
前記事前決定手段の決定結果に応じて前記可変表示装置の表示結果を導出する制御を行なう導出制御手段とを備え、
前記事前決定手段は、前記一般入賞のうちの特定一般入賞の発生を許容する旨を決定する単独決定手段と、前記特定入賞の発生を許容する旨を新たに決定するときに前記特定一般入賞の発生を許容する旨を同時に決定する同時決定手段とを含み、
前記導出制御手段は、前記特定一般入賞の発生を許容する旨が決定されていることに応じて、前記可変表示装置の表示結果として、前記入賞ラインのうちの一の入賞ラインに特定の識別情報を含む識別情報の組合せを導出する特定識別情報導出制御手段を含み、
前記特定識別情報導出制御手段により前記一の入賞ライン上に導出される識別情報の組合せに含まれる前記特定の識別情報の数の期待値は、前記単独決定手段の決定により前記特定一般入賞の発生を許容する旨が決定されているときと、前記同時決定手段の決定により前記特定一般入賞の発生を許容する旨が決定されているときとで異なることを特徴とする、スロットマシン。
【請求項２】
前記可変表示装置の表示結果が導出されたときに入賞が発生したか否かを判定する入賞判定手段をさらに備え、
前記入賞判定手段は、前記一の入賞ライン上に導出される識別情報の組合せが、前記複数の可変表示領域のうちの少なくとも一の所定の可変表示領域の識別情報として前記特定の識別情報が含まれる識別情報の組合せであることを条件として、前記特定一般入賞が発生したと判定し、
前記特定識別情報導出制御手段は、前記単独決定手段の決定により前記特定一般入賞の発生を許容する旨が決定されているときと、前記同時決定手段の決定により前記特定一般入賞の発生を許容する旨が決定されているときとで異なる割合で、前記複数の可変表示領域のうちの前記所定の可変表示領域と異なる可変表示領域における前記一の入賞ライン上に前記特定の識別情報を導出することを特徴とする、請求項１に記載のスロットマシン。
【請求項３】
前記特定識別情報導出制御手段は、前記同時決定手段の決定により前記特定一般入賞の発生を許容する旨が決定されていることを条件として、前記一の入賞ライン上に前記特定の識別情報を所定数含む識別情報の組合せを導出することを特徴とする、請求項２に記載のスロットマシン。
【請求項４】
前記可変表示装置の表示結果が導出されたときに入賞が発生したか否かを判定する入賞判定手段をさらに備え、
前記入賞判定手段は、
前記一の入賞ライン上に導出される識別情報の組合せが、前記複数の可変表示領域のうちの少なくとも一の所定の可変表示領域の識別情報として前記特定の識別情報が含まれる識別情報の組合せであることを条件として、前記特定一般入賞のうち第１の特定一般入賞が発生したと判定し、
前記一の入賞ライン上に導出される識別情報の組合せが、前記複数の可変表示領域のうち前記所定の可変表示領域と異なる可変表示領域を含む少なくとも２以上の可変表示領域の識別情報として前記特定の識別情報が含まれる識別情報の組合せであることを条件として、前記特定一般入賞のうち第２の特定一般入賞が発生したと判定し、
前記事前決定手段は、前記単独決定手段が前記特定一般入賞の発生を許容したときに当該特定一般入賞が前記第２の特定一般入賞である割合と、前記同時決定手段が前記特定一般入賞の発生を許容したときに当該特定一般入賞が前記第２の特定一般入賞である割合とが異なるように、前記特定一般入賞の発生を許容するか否かを決定することを特徴とする、請求項１に記載のスロットマシン。
【請求項５】
前記入賞判定手段は、前記一の入賞ライン上に導出される識別情報の組合せが、前記複数の可変表示領域のうち前記所定の可変表示領域と異なる可変表示領域を含む所定数の可変表示領域の識別情報として前記特定の識別情報が含まれる識別情報の組合せであることを条件として、前記特定一般入賞のうち第３の特定一般入賞が発生したと判定し、
前記単独決定手段は、前記第３の特定一般入賞の発生を許容する旨を決定せず、
前記同時決定手段は、前記特定入賞の発生を許容する旨を新たに決定するときに前記第３の特定一般入賞の発生を許容する旨を同時に決定することを特徴とする、請求項４に記載のスロットマシン。
【請求項６】
前記可変表示装置には入賞ラインが複数定められており、
前記特定識別情報導出制御手段は、前記単独決定手段の決定により前記特定一般入賞の発生を許容する旨が決定されているときよりも、前記同時決定手段の決定により前記特定一般入賞の発生を許容する旨が決定されているときの方が高い割合で、前記特定の識別情報を含む識別情報の組合せを前記複数の入賞ラインのうち特定の入賞ラインに導出することを特徴とする、請求項１〜請求項５のいずれかに記載のスロットマシン。
【請求項７】
前記特定入賞は、第１特定入賞と第２特定入賞とを含む複数種類の特定入賞が設けられており、
前記特定入賞が発生したときに、遊技者にとっての有利度合いが異なる複数種類の特定遊技状態のうち、発生した特定入賞の種類に応じた特定遊技状態に制御する特定遊技状態制御手段を備え、
前記特定識別情報導出制御手段により前記一の入賞ライン上に導出される識別情報の組合せに含まれる前記特定の識別情報の数の期待値は、前記同時決定手段の決定により前記特定一般入賞の発生を許容する旨が前記第１特定入賞の発生と同時に許容する旨が新たに決定されているときと、前記第２特定入賞の発生と同時に許容する旨が新たに決定されているときとで異なることを特徴とする、請求項１〜請求項６のいずれかに記載のスロットマシン。
【請求項８】
前記可変表示装置には入賞ラインが複数定められており、
前記特定入賞は、第１特定入賞と第２特定入賞とを含む複数種類の特定入賞が設けられており、
前記特定入賞が発生したときに、遊技者にとっての有利度合いが異なる複数種類の特定遊技状態のうち、発生した特定入賞の種類に応じた特定遊技状態に制御する特定遊技状態制御手段を備え、
前記特定識別情報導出制御手段は、前記同時決定手段の決定により前記特定一般入賞の発生を許容する旨が前記第１特定入賞の発生と同時に許容する旨が新たに決定されているときよりも前記第２特定入賞の発生と同時に許容する旨が新たに決定されているときの方が高い割合で、前記特定の識別情報を含む識別情報の組合せを前記複数の入賞ラインのうち特定の入賞ラインに導出することを特徴とする、請求項１〜請求項７のいずれかに記載のスロットマシン。
【手続補正２】
【補正対象書類名】明細書
【補正対象項目名】００４１
【補正方法】変更
【補正の内容】
【００４１】
（７’）  前記可変表示装置には入賞ラインが複数定められており（図１参照）、
前記特定入賞は、第１特定入賞（たとえばビッグボーナス（２））と第２特定入賞（たとえばビッグボーナス（１））とを含む複数種類の特定入賞が設けられており、
前記特定入賞が発生したときに、遊技者にとっての有利度合い（規定枚数、終了後ＲＴの有無）が異なる複数種類の特定遊技状態のうち、発生した特定入賞の種類に応じた特定遊技状態に制御する特定遊技状態制御手段（Ｓ９０７）を備え、
前記特定識別情報導出制御手段は、前記同時決定手段の決定により前記特定一般入賞の発生を許容する旨が前記第１特定入賞の発生と同時に許容する旨が新たに決定されているときよりも前記第２特定入賞の発生と同時に許容する旨が新たに決定されているときの方が高い割合で、前記特定の識別情報を含む識別情報の組合せを前記複数の入賞ラインのうち特定の入賞ライン（左リール２Ｌの中段を通る入賞ラインＬ５）に導出する（図１３〜図１５）。